(57)【要約】【課題】認識不能なデータファイルが混在して記録されている可能性のあるメモリカードの記録状況を必要に応じて事前に、且つ正確に把握する。【解決手段】撮影により得た画像データファイルを記録する、装置に着脱可能なメモリカード３８と、このメモリカード３８に記録されているすべてのデータファイルの種別と容量とを検索し、その検索結果により再生可能なデータファイルと再生不可能なデータファイル、及び空き領域の各容量を表示部１６で表示させる制御部３２とを備える。【選択図】    図２
2004254221.tif 000002
【特許請求の範囲】
【請求項１】
画像データファイルを記録する記録媒体と、
この記録媒体に記録されているデータファイルの種別と容量とを検索する検索手段と、
この検索手段での検索結果によりデータファイルの種別と容量を判別する判別手段と、
この判別手段での判別結果に基づいて再生可能なデータファイルと再生不可能なデータファイル、及び空き領域の各容量を表示する表示手段と
を具備したことを特徴とする携帯情報端末。
【請求項２】
上記検索手段は、電源投入時に検索を実行し、
上記表示手段は、上記検索手段での検索結果により再生可能なデータファイルと再生不可能なデータファイル、及び空き領域の各容量を一定時間表示する
ことを特徴とする請求項１記載の携帯情報端末。
【請求項３】
上記検索手段は、所定のキー操作に対応して検索を実行することを特徴とする請求項１記載の携帯情報端末。
【請求項４】
上記表示手段は、再生可能なデータファイルと再生不可能なデータファイル、及び空き領域の各容量を画面の一部で常時表示することを特徴とする請求項１記載の携帯情報端末。
【請求項５】
上記検索手段と上記表示手段は、特定のモード時にのみ処理を実行することを特徴とする請求項１乃至４いずれかに記載の携帯情報端末。
【請求項６】
画像データファイルを記録する記録媒体と、
この記録媒体に記録されているデータファイルの種別を検索する検索手段と、
この検索手段での検索結果により再生不可能なデータファイルを判別する判別手段と、
この判別手段での判別結果に基づいて再生不可能なデータファイルが存在する場合は、再生不可能なデータファイルが存在することを告知する内容を表示する表示手段と
を具備したことを特徴とする携帯情報端末。
【請求項７】
上記判別手段は、さらに再生可能なデータファイルも判別し、
上記表示手段は、判別結果に基づいて再生可能なデータファイルがない場合は、再生可能なデータファイルが存在しないことを告知する内容を表示する
ことを特徴とする請求項６記載の携帯情報端末。
【請求項８】
画像データファイルを記録する記録媒体に対し、記録されているデータファイルの種別と容量とを検索する検索工程と、
この検索工程での検索結果によりデータファイルの種別と容量を判別する判別工程と、
この判別工程での判別結果に基づいて再生可能なデータファイルと再生不可能なデータファイル、及び空き領域の各容量を表示する表示工程と
を有したことを特徴とする記録状況表示方法。
【請求項９】
画像データファイルを記録する記録媒体に対し、記録されているデータファイルの種別と容量とを検索する検索ステップと、
この検索ステップでの検索結果によりデータファイルの種別と容量を判別する判別ステップと、
この判別ステップでの判別結果に基づいて再生可能なデータファイルと再生不可能なデータファイル、及び空き領域の各容量を表示する表示ステップと
をコンピュータに実行させることを特徴とするプログラム。
【請求項１０】
画像データファイルを記録する記録媒体に対し、記録されているデータファイルの種別を検索する検索工程と、
この検索工程での検索結果により再生不可能なデータファイルを判別する判別工程と、
この判別工程での判別結果に基づいて再生不可能なデータファイルが存在する場合は、再生不可能なデータファイルが存在することを告知する内容を表示する表示工程と
を有したことを特徴とする記録状況表示方法。
【請求項１１】
画像データファイルを記録する記録媒体に対し、記録されているデータファイルの種別を検索する検索ステップと、
この検索ステップでの検索結果により再生不可能なデータファイルを判別する判別ステップと、
この判別ステップでの判別結果に基づいて再生不可能なデータファイルが存在する場合は、再生不可能なデータファイルが存在することを告知する内容を表示する表示ステップと
をコンピュータに実行させることを特徴とするプログラム。
【発明の詳細な説明】
【０００１】
【発明の属する技術分野】
本発明は、取扱うデータファイルを記録する記録媒体を他のデジタル機器と共用可能なデジタルカメラや携帯電話などに好適な携帯情報端末、記録状況表示方法及びプログラムに関する。
【０００２】
【従来の技術】
近時、デジタルスチルカメラのみならず、静止画撮影も可能なデジタルビデオカメラ、携帯音楽プレーヤや携帯電話機等においても記録媒体として内蔵メモリやメモリカードを装着可能なものが増えている。
【０００３】
一方で、半導体メモリの高容量化と低価格化につれて、例えば２５６ＭＢや５１２ＭＢ、さらにはＧＢ（ギガバイト）オーダーの大容量のメモリカードが従来よりは買いやすい価格で市販化されている。
【０００４】
しかるに、大容量のメモリカードを複数の携帯機器間で使い回しした場合、その機器では再生できないだけでなく、認識もできない種別のデータファイルがメモリカードに記録されている可能性がある。
【０００５】
その場合、機器側ではまだ充分な空き容量があるものと認識して動作しているにも拘わらず、実際に記録してみるとデータファイルを書込むことができないという不具合が発生することにもなる。
【０００６】
また、そのデジタルカメラでは再生できない形式のデータファイルを選択してしまった場合には、例えば画面を一様な色で表示することにより、ユーザに再生不能なデータファイルであることを認識させるようにした技術が考えられている。（例えば、特許文献１参照。）
【０００７】
【特許文献１】
特開２０００−０６９４１０号公報
【０００８】
【発明が解決しようとする課題】
上記のようにそのデジタルカメラでは認識あるいは再生できないデータファイルが記録されている可能性のあるメモリカードを装着している場合、重要なのは、そのメモリカードにどのようなデータファイルが記録されているのか、本当の空き容量がどの程度あり、あとどれだけの撮影を行なうことができるのか、ということにある。
【０００９】
しかしながら、従来のデジタルカメラなどの携帯情報端末あるいは上記特許文献に記載されたデジタルカメラでは、認識不可能なデータファイルが混在して記録されている場合でも、そのメモリカードの記録状況を事前に把握することは困難であった。
【００１０】
本発明は上記のような実情に鑑みてなされたもので、その目的とするところは、認識不能なデータファイルが混在して記録されている可能性のあるメモリカードの記録状況を必要に応じて事前に、且つ正確に把握することが可能な携帯情報端末、記録状況表示方法及びプログラムを提供することにある。
【００１１】
【課題を解決するための手段】
請求項１記載の発明は、画像データファイルを記録する記録媒体と、この記録媒体に記録されているデータファイルの種別と容量とを検索する検索手段と、この検索手段での検索結果によりデータファイルの種別と容量を判別する判別手段と、この判別手段での判別結果に基づいて再生可能なデータファイルと再生不可能なデータファイル、及び空き領域の各容量を表示する表示手段とを具備したことを特徴とする。
【００１２】
このような構成とすれば、認識不能なデータファイルが混在して記録されている可能性のある記録媒体（メモリカード）の記録状況を正確に把握することが可能となる。
【００１３】
請求項２記載の発明は、上記請求項１記載の発明において、上記検索手段は、電源投入時に検索を実行し、上記表示手段は、上記検索手段での検索結果により再生可能なデータファイルと再生不可能なデータファイル、及び空き領域の各容量を一定時間表示することを特徴とする。
【００１４】
このような構成とすれば、上記請求項１記載の発明の作用に加えて、電源投入時に自動的に記録媒体（メモリカード）の記録状況を一定時間だけ表示出力するようになるため、電源を投入した時点で表示される記録媒体の内容を把握した上で速やかに次の動作に移行することができる。
【００１５】
請求項３記載の発明は、上記請求項１記載の発明において、上記検索手段は、所定のキー操作に対応して検索を実行することを特徴とする。
【００１６】
このような構成とすれば、上記請求項１記載の発明の作用に加えて、所定のキー操作に応じて記録媒体（メモリカード）の記録状況を随時表示出力するようになるため、いつでも必要なタイミングで記録媒体の記録状況を把握することができる。
【００１７】
請求項４記載の発明は、上記請求項１記載の発明において、上記表示手段は、再生可能なデータファイルと再生不可能なデータファイル、及び空き領域の各容量を画面の一部で常時表示することを特徴とする。
【００１８】
このような構成とすれば、上記請求項１記載の発明の作用に加えて、記録媒体（メモリカード）の記録状況を常時表示出力するようになるため、いつでも記録媒体の記録状況を把握することができる。
【００１９】
請求項５記載の発明は、上記請求項１乃至４いずれかに記載の発明において、上記検索手段と上記表示手段は、特定のモード時にのみ処理を実行することを特徴とする。
【００２０】
このような構成とすれば、上記請求項１乃至４いずれかに記載の発明の作用に加えて、特定のモード時に限って記録媒体の記録状況を表示し、内容を把握することができる。
【００２１】
請求項６記載の発明は、画像データファイルを記録する記録媒体と、この記録媒体に記録されているデータファイルの種別を検索する検索手段と、この検索手段での検索結果により再生不可能なデータファイルを判別する判別手段と、この判別手段での判別結果に基づいて再生不可能なデータファイルが存在する場合は、再生不可能なデータファイルが存在することを告知する内容を表示する表示手段とを具備したことを特徴とする。
【００２２】
このような構成とすれば、記録媒体（メモリカード）に認識不能なデータファイルが記録されていることを確実に把握することが可能となる。
【００２３】
請求項７記載の発明は、上記請求項６記載の発明において、上記判別手段は、さらに再生可能なデータファイルも判別し、上記表示手段は、判別結果に基づいて再生可能なデータファイルがない場合は、再生可能なデータファイルが存在しないことを告知する内容を表示することを特徴とする。
【００２４】
このような構成とすれば、上記請求項６記載の発明の作用に加えて、記録媒体に再生できるデータファイルがないことも確実に把握することが可能となる。
【００２５】
請求項８記載の発明は、画像データファイルを記録する記録媒体に対し、記録されているデータファイルの種別と容量とを検索する検索工程と、この検索工程での検索結果によりデータファイルの種別と容量を判別する判別工程と、この判別工程での判別結果に基づいて再生可能なデータファイルと再生不可能なデータファイル、及び空き領域の各容量を表示する表示工程とを有したことを特徴とする。
【００２６】
このような方法とすれば、認識不能なデータファイルが混在して記録されている可能性のある記録媒体（メモリカード）の記録状況を正確に把握することが可能となる。
【００２７】
請求項９記載の発明は、画像データファイルを記録する記録媒体に対し、記録されているデータファイルの種別と容量とを検索する検索ステップと、この検索ステップでの検索結果によりデータファイルの種別と容量を判別する判別ステップと、この判別ステップでの判別結果に基づいて再生可能なデータファイルと再生不可能なデータファイル、及び空き領域の各容量を表示する表示ステップとをコンピュータに実行させることを特徴とする。
【００２８】
このようなプログラム内容とすれば、認識不能なデータファイルが混在して記録されている可能性のある記録媒体（メモリカード）の記録状況を正確に把握することが可能となる。
【００２９】
請求項１０記載の発明は、画像データファイルを記録する記録媒体に対し、記録されているデータファイルの種別を検索する検索工程と、この検索工程での検索結果により再生不可能なデータファイルを判別する判別工程と、この判別工程での判別結果に基づいて再生不可能なデータファイルが存在する場合は、再生不可能なデータファイルが存在することを告知する内容を表示する表示工程とを有したことを特徴とする。
【００３０】
このような方法とすれば、記録媒体（メモリカード）に認識不能なデータファイルが記録されていることを確実に把握することが可能となる。
【００３１】
請求項１１記載の発明は、画像データファイルを記録する記録媒体に対し、記録されているデータファイルの種別を検索する検索ステップと、この検索ステップでの検索結果により再生不可能なデータファイルを判別する判別ステップと、この判別ステップでの判別結果に基づいて再生不可能なデータファイルが存在する場合は、再生不可能なデータファイルが存在することを告知する内容を表示する表示ステップとをコンピュータに実行させることを特徴とする。
【００３２】
このようなプログラム内容とすれば、記録媒体（メモリカード）に認識不能なデータファイルが記録されていることを確実に把握することが可能となる。
【００３３】
【発明の実施の形態】
以下本発明をデジタルスチルカメラに適用した場合の一実施形態について図面を参照して説明する。
【００３４】
図１は、その外観構成を示すもので、図１（Ａ）が主に前面上方からの、図１（Ｂ）が主に背面下方からの構成を示す斜視図である。
【００３５】
このデジタルスチルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００３６】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００３７】
電源キー８は、電源のオン／オフ毎に操作するキーであり、シャッタキー９は、撮影モード時に撮影を指示する一方で、メニュー選択等では設定／実行を指示する実行キーとしても機能するものとする。
【００３８】
また、デジタルカメラ１の背面には、モードスイッチ（ＳＷ）１０、スピーカ部１１、メニューキー１２、十字キー１３、光学ファインダ１４、ストロボチャージランプ１５、及び表示部１６を配する。
【００３９】
モードスイッチ１０は、例えばスライドキースイッチにより構成され、基本モードである記録モード「Ｒ」と再生モード「Ｐ」、及び音楽再生モード「♪」を切換える。
【００４０】
メニューキー１２は、各種メニュー項目等を選択させる際に操作する。
【００４１】
十字キー１３は、上下左右各方向へのカーソル移動用のキーが一体に形成されたものである。
【００４２】
表示部１６は、バックライト付きのカラー液晶パネルで構成されるもので、記録モード時には電子ファインダとしてスルー画像のモニタ表示を行なう一方で、再生モード時には選択した画像を再生表示する。
【００４３】
なお、デジタルスチルカメラ１の底面には、記録媒体として用いられるメモリカードを着脱するためのメモリカードスロット１７や、外部のパーソナルコンピュータ等と接続するためのシリアルインタフェースコネクタである、例えばＵＳＢ（Ｕｎｉｖｅｒｓａｌ  Ｓｅｒｉｕａｌ  Ｂｕｓ）コネクタ１８等が設けられるものとする。
【００４４】
次いで図２により上記デジタルスチルカメラ１の電子回路構成を説明する。
画像撮影モードでのモニタリング状態においては、モータ（Ｍ）２１の駆動により合焦位置や絞り位置が移動される、上記撮影レンズ２を含むレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００４５】
この光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４６】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４７】
制御部３２は、ＣＰＵと、後述する電池残量表示の処理を含むＣＰＵで実行される動作プログラムを固定的に記憶したＲＯＭ、及びワークメモリとして使用されるＲＡＭ等により構成され、このデジタルスチルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４８】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１６に出力する。
【００４９】
この表示部１４は、上述した如く画像撮影モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００５０】
このように表示部１４にその時点での画像がモニタ画像としてリアルタイムに表示されている状態で、静止画撮影を行ないたいタイミングでキー入力部３６を構成する上記シャッタキー９を操作すると、トリガ信号を発生する。
【００５１】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５２】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５３】
そして、得た符号データを１画像のデータファイルとして該ＪＰＥＧ回路３７から読出し、このデジタルスチルカメラ１の記録媒体として着脱自在に装着されるメモリカード３８か、またはこのデジタルスチルカメラ１に固定的に内蔵される内蔵メモリ３９のいずれか一方に書込む。
【００５４】
そして、１フレーム分の輝度及び色差信号の圧縮処理及びメモリカード３８または内蔵メモリ３９への全圧縮データの書込み終了に伴なって、制御部３２はＣＣＤ２３からＤＲＡＭ３１への経路を再び起動する。
【００５５】
また、制御部３２にはさらに、音声処理部４０及びＵＳＢインタフェース（Ｉ／Ｆ）４１が接続される。
【００５６】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）にしたがってデータ圧縮して音声データファイルを作成してメモリカード３８または内蔵メモリ３９へ送出する一方、音声の再生時には送られてきた音声データファイルの圧縮を解いてアナログ化し、上記スピーカ部（ＳＰ）１１を駆動して、拡声放音させる。
【００５７】
ＵＳＢインタフェース４１は、上記ＵＳＢコネクタ１８を介して有線接続される外部機器、例えばパーソナルコンピュータとの間で画像データその他の送受を行なう場合の通信制御を行なう。
【００５８】
なお、上記キー入力部３６は、上述したシャッタキー９の他に、上記電源キー８、モードスイッチ１０、メニューキー１２、十字キー１３等から構成され、それらのキー操作に伴なう信号は直接制御部３２へ送出される。
【００５９】
しかるに、静止画像ではなく動画像の撮影時においては、キー入力部３６のシャッタキー９が操作され続けている間、上述した静止画像データをＪＰＥＧ回路３７でデータ圧縮した静止画データファイルのメモリカード３８または内蔵メモリ３９への記録を時間的に連続して実行し、該シャッタキー９の操作が終わるか、または所定の制限時間、例えば３０秒が経過した時点でそれら一連の静止画データファイルを一括してモーションＪＰＥＧのデータファイルとして設定し直す。
【００６０】
また、再生モード時には、制御部３２がメモリカード３８または内蔵メモリ３９に記録されている画像データを選択的に読出し、ＪＰＥＧ回路３７で撮影モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、表示部１６で再生出力させる。
【００６１】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００６２】
次に上記実施形態の動作について説明する。
図３は、電源キー８の操作による電源投入時の、特に表示部１６での表示に関する処理内容を示すもので、ここでは記録モードと再生モードの切換設定によらず実行するものとする。
【００６３】
その当初に電源が投入されるのを待機し（ステップＡ０１）、投入されたと判断した時点で、メモリカードスロット１７内に装着されているメモリカード３８の記録内容をチェックする（ステップＡ０２）。
【００６４】
これは、具体的にはメモリカード３８全体の記録容量と、メモリカード３８に記録されている個々のデータファイルの種別（拡張子）及びデータ容量とをサーチするもので、その結果により、本デジタルスチルカメラ１では再生することができない種別のデータファイルがあるか否かをまず判断する（ステップＡ０３）。
【００６５】
ここで、再生できないデータファイルがあると判断した場合、次に表示部１６で表示できる画像データファイル、具体的には拡張子が「．ｊｐｇ」「．ｔｉｆ」「．ｍｐｇ」等である静止画データファイルまたは動画データファイルが少なくとも１つあるか否かを判断する（ステップＡ０４）。
【００６６】
画像のデータファイルが少なくとも１つ記録されていた場合には、画像があるものの、他の認識できないデータファイルも存在する旨を例えば図４（１）に示すように
「別のファイルが存在します！！」
なる文字列によるガイドメッセージで表示し（ステップＡ０５）、以上でこの図３の処理を一旦終了する。
【００６７】
また、上記ステップＡ０４で画像データファイルが１つもメモリカード３８に記録されていないと判断した場合には、画像データファイルはないが、他のデータファイルが存在する旨を例えば図４（２）に示すように
「  画像がありません！！
別のファイルが存在します！！」
なる文字列によるガイドメッセージで表示し（ステップＡ０６）、以上でこの図３の処理を一旦終了する。
【００６８】
さらに、上記ステップＡ０３で再生できないデータファイルはないと判断した場合には、、次に表示部１６で表示できる画像データファイル、具体的には拡張子が「．ｊｐｇ」「．ｔｉｆ」「．ｍｐｇ」等である静止画データファイルまたは動画データファイルが少なくとも１つあるか否かを判断する（ステップＡ０７）。
【００６９】
画像のデータファイルが１つも記録されていない場合には、画像がない旨を例えば図４（３）に示すように
「画像がありません！！」
なる文字列によるガイドメッセージで表示し（ステップＡ０９）、以上でこの図３の処理を一旦終了する。
【００７０】
また、上記ステップＡ０７で画像データファイルが少なくとも１つ以上メモリカード３８に記録されている場合には、特にガイドメッセージの類は表示せずに、そのまま通常の表示動作、例えば再生モード時であれば記録されている画像データファイルの中で最も日付／日時のデータが新しいものを表示部１６で表示し、記録モードであれば撮影に伴うスルー画像表示に移行するなど所定（ステップＡ０８）、以上でこの図３の処理を一旦終了する。
【００７１】
さらに、上記図４（１）〜（３）では、メモリカード３８の記録状況を文字列によるガイドメッセージで表示部１６の画面全面を用いて表示するものとして説明したが、これに限らず、その動作時に図５に示すように画面の一部でシンボルマーク等を用いて表示するものとしてもよい。
【００７２】
この図５では、記録モードの時のスルー画像（再生モードの時の再生画像でもよい）を表示部１６に表示していると同時に表示部１６の画面の左下端部にて記号「？」を付したシンボルマークＳＭを重複表示することで、このデジタルスチルカメラ１では再生することができないデータファイルがメモリカード３８に記録されていることを示している。
【００７３】
また、上記図５のシンボルマークＳＭに代えて、メモリカード３８の記録状況をグラフを用いて正確に表示することも可能である。以下、そのような他の表示例を図６により説明する。
【００７４】
図６（１）は、文字を伴う円グラフＧＲ１により表示した例を示す。すなわち同図（１）中では、メモリカード３８の記録容量の略１／２が「画像」データのファイルであること、略１／４がこのデジタルスチルカメラ１では再生できない（「？」）データファイルであること、及び残る略１／４が「空（き）」領域であることを円グラフと文字により表示している。
【００７５】
図６（２）は、文字を伴う帯グラフＧＲ２により表示した例を示す。すなわち同図（２）中では、メモリカード３８の記録容量の略５０％が「画像」データのファイルであること、略２５％がこのデジタルスチルカメラ１では再生できない（「？」）データファイルであること、及び残る略２５％が「空（き）」領域であることを直接帯グラフと文字により表示している。
【００７６】
図６（３）は、記号を伴う円グラフＧＲ３により表示した例を示す。すなわち同図（３）中では、重複した矩形の記号によりメモリカード３８の記録容量の略１／２が「画像」データのファイルであること、記号「？」により略１／４がこのデジタルスチルカメラ１では再生できないデータファイルであること、及び単なるハッチングにより残る略１／４が空き領域であることを円グラフと記号により表示している。
【００７７】
加えて、ここでは上記空き領域の正確な割合として数値「２５％」を表示することで、デジタルスチルカメラ１のユーザに対してこれからメモリカード３８に記録することが可能な画像データの容量を示している。
【００７８】
図６（４）は、記号を伴う帯グラフＧＲ４により表示した例を示す。すなわち同図（４）中では、矩形の記号によりメモリカード３８の記録容量の略５０％が「画像」データのファイルであること、記号「？」により略２５％がこのデジタルスチルカメラ１では再生できないデータファイルであること、及び単なるハッチングにより残る略２５％が「空（き）」領域であることを帯グラフと記号により表示している。
【００７９】
なお、このデジタルスチルカメラ１でも再生することが可能な画像データのファイルに関しては、その種別をより詳細に表示するものとしてもよい。
【００８０】
図６（５）は、上記図６（４）に示した記号を伴う帯グラフＧＲ４に代えて表示する帯グラフＧＲ５である。
【００８１】
この場合、上記図６（４）で示した帯グラフＧＲ４の内容に加えて、矩形の記号で示す静止画データと、ムービーカメラの記号で示す動画データ、及び音符の記号「♪」で示す音声データ（ここでは音声データもこのデジタルスチルカメラ１で再生可能な画像データの範疇に入るものとする）が合計してメモリカード３８の記録容量の略５０％となっていることを示している。
【００８２】
なお上記図６（１）〜（５）の円グラフや帯グラフによる表示は上記図４（１）〜（３）の文字列によるガイドメッセージのように表示部１６の画面全面を用いて表示するものとしてもよい。
【００８３】
以上、種々の表示形態で示したように、多くの電子機器でメモリカード３８を共用するような場合であっても、そのメモリカード３８をこのデジタルスチルカメラ１に装着した場合には、デジタルスチルカメラ１で再生することができないデータファイルが混在して記録されている可能性があるので、サーチ結果を表示することにより、メモリカード３８の記録状況を正確に把握することが可能となる。
【００８４】
なお、上記図３の処理は、デジタルスチルカメラ１の電源投入時にメモリカード３８のサーチを実行して必要な表示を行なうものとして説明したが、サーチ結果を表示する時間は予め設定された一定時間、例えば５秒間のみであるものとしてもよい。
【００８５】
このように電源投入時に自動的にメモリカード３８の記録状況を一定時間だけ表示出力することで、電源を投入した時点で表示されるメモリカード３８の内容を把握した上で速やかに次の動作、例えばメモリカード３８の空き容量が思ったより少なく、これから実行しようとしている記録に足りないと判断した場合にはメモリカード３８の記録内容を整理するなど、適宜必要な動作に移行することができる。
【００８６】
また、上記のように電源投入時のみならず、例えば上記メニューキー１２を短時間に連続して２回操作するような所定のキー操作に対応して、随時メモリカード３８の記録状況のサーチを実行するものとしてもよい。
【００８７】
そうすることで、所定のキー操作に応じてメモリカード３８の記録状況を随時表示できるようになるため、いつでも必要なタイミングでメモリカード３８の記録状況を把握することができる。
【００８８】
さらに、上述した如く何らかのタイミングで一時的にメモリカード３８の記録状況を表示するのではなく、その時点でのメモリカード３８の記録状況を電源が投入されている間は常時表示部１６の一部に表示しておくものとしてもよい。
【００８９】
このようにメモリカード３８の記録状況を常時表示することにより、何らのキー操作を行なう必要なしに、いつでもメモリカード３８の記録状況を把握しておくことができる。
【００９０】
さらに、上記に示したようなメモリカード３８の記録状況の表示を特定のモードの時だけ行うようにしてもよい。例えば、記録モード時や再生モードの時だけ行うようにする。再生モードの時だけ（記録モードの時だけ）、予め設定された一定時間の間表示する、所定のキー操作に対応して表示する、または、常時表示する、といったようにしてもよい。
【００９１】
このようにすることで特定のモード時に限ってメモリカード３８の記録状況を表示し、内容を把握しておくことができる。
【００９２】
また、上記実施の形態では、メモリーカード３８のサーチを実行し、記録状況を表示するようにしたが、内蔵メモリー３９に関しても同じように、内蔵メモリー３９のサーチを実行し、記録状況を表示するようにしてもよい。
【００９３】
このようにすれば、内蔵メモリと着脱可能なメモリーカードの両方の記録状況を把握することができる。さらに、メモリーカードを持たない内蔵メモリのみのデジタルスチルカメラにおいても記録状況が把握できる。
【００９４】
なお、本実施形態はデジタルスチルカメラに適用した場合について説明したものであるが、本発明はそれに限らず、着脱可能な記録媒体を共用して使用可能なデジタルカメラ機能を有するものであれば、例えばカメラ付き携帯電話機や静止画像も撮影可能なメモリカードを併用したデジタルムービーカメラ、あるいはカメラ付きのＰＤＡ（Ｐｅｒｓｏｎａｌ  Ｄｉｇｉｔａｌ  Ａｓｓｉｓｔａｎｔｓ：携帯情報機器）等であっても容易に適用可能となる。
【００９５】
特に、カメラ付き携帯電話機では、パソコンや、他のカメラ付き携帯電話機とのメールのやり取りなどデータ通信を行なうことが多い。例えば、受信したメールに添付されたデータファイルが再生できない場合には、とりあえず内蔵メモリや着脱可能なメモリカードに記録しておく。カメラ付き携帯電話機では撮影した画像データ、他のカメラ付き携帯電話機で撮影された画像データがメールに添付されて送られてくると、同じようにとりあえず内蔵メモリや着脱可能なメモリカードに記録しておく。
【００９６】
このように再生することができないデータファイルが内蔵メモリや着脱可能なメモリカードに混在して記録されている場合に、その内蔵メモリやメモリカードの記録状況を表示することで記録状況の把握が容易にできる。
【００９７】
その他、本発明は上記実施形態に限らず、その要旨を逸脱しない範囲内で種々変形して実施することが可能であるものとする。
【００９８】
さらに、上記実施形態には種々の段階の発明が含まれており、開示される複数の構成要件における適宜な組合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００９９】
【発明の効果】
請求項１記載の発明によれば、認識不能なデータファイルが混在して記録されている可能性のある記録媒体（メモリカード）の記録状況を正確に把握することが可能となる。
【０１００】
請求項２記載の発明によれば、上記請求項１記載の発明の効果に加えて、電源投入時に自動的に記録媒体（メモリカード）の記録状況を一定時間だけ表示出力するようになるため、電源を投入した時点で表示される記録媒体の内容を把握した上で速やかに次の動作に移行することができる。
【０１０１】
請求項３記載の発明によれば、上記請求項１記載の発明の効果に加えて、所定のキー操作に応じて記録媒体（メモリカード）の記録状況を随時表示出力するようになるため、いつでも必要なタイミングで記録媒体の記録状況を把握することができる。
【０１０２】
請求項４記載の発明によれば、上記請求項１記載の発明の効果に加えて、記録媒体（メモリカード）の記録状況を常時表示出力するようになるため、いつでも記録媒体の記録状況を把握することができる。
【０１０３】
請求項５記載の発明によれば、上記請求項１乃至４いずれかに記載の発明の効果に加えて、特定のモード時に限って記録媒体の記録状況を表示し、内容を把握することができる。
【０１０４】
請求項６記載の発明によれば、記録媒体（メモリカード）に認識不能なデータファイルが記録されていることを確実に把握することが可能となる。
【０１０５】
請求項７記載の発明によれば、上記請求項６記載の発明の効果に加えて、記録媒体に再生できるデータファイルがないことも確実に把握することが可能となる。
【０１０６】
請求項８記載の発明によれば、認識不能なデータファイルが混在して記録されている可能性のある記録媒体（メモリカード）の記録状況を正確に把握することが可能となる。
【０１０７】
請求項９記載の発明によれば、認識不能なデータファイルが混在して記録されている可能性のある記録媒体（メモリカード）の記録状況を正確に把握することが可能となる。
【０１０８】
請求項１０記載の発明によれば、記録媒体（メモリカード）に認識不能なデータファイルが記録されていることを確実に把握することが可能となる。
【０１０９】
請求項１１記載の発明によれば、記録媒体（メモリカード）に認識不能なデータファイルが記録されていることを確実に把握することが可能となる。
【図面の簡単な説明】
【図１】本発明の一実施形態に係るデジタルスチルカメラの外観構成を示す斜視図。
【図２】同実施形態に係る電子回路の構成を示すブロック図。
【図３】同実施形態に係る電源投入後の処理内容を示すフローチャート。
【図４】同実施形態に係る表示画面を例示する図。
【図５】同実施形態に係る表示画面を例示する図。
【図６】同実施形態に係る他の表示画面を例示する図。
【符号の説明】
１…デジタルスチルカメラ、２…撮影レンズ、３…セルフタイマランプ、４…光学ファインダ窓、５…マイクロホン部、６…ストロボ発光部、７…ラバーグリップ、８…電源キー、９…シャッタキー、１０…モードスイッチ（ＳＷ）、１１…スピーカ部、１２…メニューキー、１３…十字キー、１４…光学ファインダ、１５…ストロボチャージランプ、１６…表示部、１７…メモリカードスロット、１８…ＵＳＢコネクタ、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…ＪＰＥＧ回路、３８…メモリカード、３９…内蔵メモリ、４０…音声処理部、４１…ＵＳＢインタフェース（Ｉ／Ｆ）、ＧＲ１，ＧＲ３…円グラフ、ＧＲ２，ＧＲ４，ＧＲ５…帯グラフ、ＳＭ…シンボルマーク。
【図１】
2004254221.tif 000003
【図２】
2004254221.tif 000004
【図３】
2004254221.tif 000005
【図４】
2004254221.tif 000006
【図５】
2004254221.tif 000007
【図６】
2004254221.tif 000008